(57)【要約】 【課題】  送風装置に備えられたフィルタを着脱しやすくする。【解決手段】  クロスフローファン２１をケーシング３０内に収容した送風装置２０が設けられ、ケーシング３０の下面に吸込口３７が、側面に吹出口３８がそれぞれ設けられる。吸込口３７にはエアフィルタ４０が装備され、吹出口３８を設けた側面側の端部に取手４３を設けて同側面側から抜き差し可能となっている。送風装置２０は、吹出口３８を左方に向けた姿勢で、冷蔵庫本体１０の底面１４の右側縁に沿って設けられる。ファン２１の駆動により、外気が吸込口３７から吸い込まれたのち、吹出口３８から底面１４に沿って左方に吹き出され、底面１４への結露が防止される。床面Ｘから舞い上がった塵や埃は、フィルタ４０で捕捉され、ファン２１には至らない。フィルタ４０は、底面１４のほぼ全面の下方の広いスペースを利用して、洗浄のために簡単に着脱できる。【選択図】  図６
2006162191.tif 000002
【特許請求の範囲】
【請求項１】
貯蔵庫本体の底面には、送風ファンをケーシング内に収容した送風装置が設けられ、前記ケーシングの下面に吸込口が、側面に吹出口がそれぞれ設けられるとともに、前記吸込口にはフィルタが装備され、かつこのフィルタは、前記吹出口が設けられた側面側の端部に取手を設けて同側面側からの着脱可能とされていることを特徴とする冷却貯蔵庫。
【請求項２】
前記送風装置が、前記貯蔵庫本体の底面における幅方向の一縁に沿うようにして、前記吹出口を内方に向けた姿勢で配置され、前記吹出口から吹き出された空気が前記貯蔵庫本体の底面を幅方向の他縁側に向けて流通可能とされていることを特徴とする請求項１記載の冷却貯蔵庫。
【請求項３】
前記吸込口は、前記ケーシングにおける正面側の端部寄りに設けられていることを特徴とする請求項２記載の冷却貯蔵庫。
【請求項４】
前記貯蔵庫本体の底面には排水を溜めて蒸発させる蒸発皿が設けられ、この蒸発皿の奥側に、前記送風装置が前記吹出口を連通して設けられるとともに、この送風装置の前記ケーシングの下部側に連通して、吸込ダクトが前記蒸発皿の下側を通って正面側に延出して配され、この吸込ダクトにおける正面の端部側の下面に前記吸込口が設けられ、かつ前記蒸発皿の正面の端部側に蒸気の排出開口が形成されていることを特徴とする請求項１記載の冷却貯蔵庫。
【請求項５】
前記排出開口が、前記蒸発皿の左右の側壁に形成されていることを特徴とする請求項４記載の冷却貯蔵庫。
【発明の詳細な説明】
【技術分野】
【０００１】
本発明は、冷却貯蔵庫に関する。
【背景技術】
【０００２】
例えば冷蔵庫では、内部の冷蔵室が冷却されることに伴って冷蔵庫本体の底面も冷却され、特に外気が高温多湿の状態であると、結露が生ずるおそれがある。そこで従来では、冷蔵庫の上面に設けられた機械室において、冷凍装置の凝縮器等を冷却したあとの排熱が生成されることに着目し、この排熱を、冷蔵庫本体の背面等に別途に設けたダクトによって底面まで導き、底面を加熱することで結露の発生を防止したものが知られている（特許文献１）。
【特許文献１】特開平１１−６３７９０号公報
【発明の開示】
【発明が解決しようとする課題】
【０００３】
しかるに上記従来構造では、ダクトを背面等の全高にわたって設ける必要があることから、冷蔵庫の外形が嵩張り、またダクトの取り付け作業にも手間が掛かるという問題があった。  
本発明は、上記のような事情に基づいて完成されたものである。
【課題を解決するための手段】
【０００４】
上記の目的を達成するための手段として、請求項１の発明は、貯蔵庫本体の底面には、送風ファンをケーシング内に収容した送風装置が設けられ、前記ケーシングの下面に吸込口が、側面に吹出口がそれぞれ設けられるとともに、前記吸込口にはフィルタが装備され、かつこのフィルタは、前記吹出口が設けられた側面側の端部に取手を設けて同側面側からの着脱可能とされている構成としたところに特徴を有する。
【０００５】
請求項２の発明は、請求項１に記載のものにおいて、前記送風装置が、前記貯蔵庫本体の底面における幅方向の一縁に沿うようにして、前記吹出口を内方に向けた姿勢で配置され、前記吹出口から吹き出された空気が前記貯蔵庫本体の底面を幅方向の他縁側に向けて流通可能とされているところに特徴を有する。  
請求項３の発明は、請求項２に記載のものにおいて、前記吸込口は、前記ケーシングにおける正面側の端部寄りに設けられているところに特徴を有する。
【０００６】
請求項４の発明は、請求項１に記載のものにおいて、前記貯蔵庫本体の底面には排水を溜めて蒸発させる蒸発皿が設けられ、この蒸発皿の奥側に、前記送風装置が前記吹出口を連通して設けられるとともに、この送風装置の前記ケーシングの下部側に連通して、吸込ダクトが前記蒸発皿の下側を通って正面側に延出して配され、この吸込ダクトにおける正面の端部側の下面に前記吸込口が設けられ、かつ前記蒸発皿の正面の端部側に蒸気の排出開口が形成されているところに特徴を有する。  
請求項５の発明は、請求項４に記載のものにおいて、前記排出開口が、前記蒸発皿の左右の側壁に形成されているところに特徴を有する。
【発明の効果】
【０００７】
＜請求項１の発明＞
送風ファンの駆動により、外気が吸込口により下面からケーシング内に吸い込まれたのち、吹出口により側面から吹き出される。貯蔵庫本体の底面に送風装置を設けるのであるから、冷却貯蔵庫の嵩高を招くことなく本体底面に沿った空気流を得ることができる。  
冷却貯蔵庫の設置位置の床面には塵や埃が溜まりやすく、外気の吸い込み時に舞い上がって一緒に吸い込まれるおそれがあるが、吸込領域は吸込口に限られ、しかもフィルタが装備されているから、塵や埃は捕捉されて送風ファンに入り込むことが防止される。通常、吹出口の前方にはスペースが確保されるが、フィルタは、同吹出口が設けられた側面側からスペースを利用して簡単に着脱でき、フィルタの清掃等を行う場合に便利となる。
【０００８】
＜請求項２の発明＞
送風装置の吹出口から吹き出された外気は、貯蔵庫本体の底面を横切るようにして流通する。静止空気であるよりも、空気が移動する場合の方が湿度を低く抑えることができ、その分結露することをより確実に防止できる。  
フィルタは、貯蔵庫本体の下面の広いスペースを利用して能率良く着脱することができる。  
＜請求項３の発明＞
フィルタの着脱操作が極力正面に寄った位置で行うことができ、より簡単となる。
【０００９】
＜請求項４の発明＞
送風ファンが駆動されると、外気が吸込ダクトを通ってケーシングの下部に吸い込まれた後、吹出口から蒸発皿内を正面側に吹き抜け、蒸気ともども蒸発皿の正面の端部側の排出開口から吹き出される。フィルタは、吹出ダクトの正面側の端部において正面側から着脱できるから、着脱の作業が簡単である。  
また冷却貯蔵庫の底面に蒸発皿を装備した場合、従来では正面側から外気を吸い込んだのち、蒸発皿を通って奥側に吹き出すようにしていた。冷却貯蔵庫は、背面を壁に当てて設置する場合が多いため、湿った空気が壁の前で淀み、壁等に結露するおそれがあった。その点この発明では、蒸気が正面側に排出されるようにしたから、湿った空気が冷却貯蔵庫の背面側で淀むことがなくなり、壁等に結露することが防止される。  
＜請求項５の発明＞
蒸発皿からの蒸気は、その手前側の端部から左右方向に向けて排出される。冷却貯蔵庫の正面に立った作業者の足等に蒸気が吹き付けられることが避けられ、不快感を覚えることが防止される。
【発明を実施するための最良の形態】
【００１０】
以下、本発明の実施形態を添付図面に基づいて説明する。  
＜実施形態１＞
本発明の実施形態１を図１ないし図６によって説明する。この実施形態では、業務用冷蔵庫に適用した場合を例示している。  
図１において、符号１０は冷蔵庫本体であって、前面に開口した断熱箱体により形成され、内部が冷蔵室１１となっており、冷蔵室１１の前面開口には、観音開き式の断熱扉１２が上下二段に分かれて装着されている。
【００１１】
冷蔵庫本体１０の底面１４の四隅には脚１５が装着され、底面１４が床面Ｘから所定寸法浮いた状態で支持されている。脚１５は、図２に示すように、その上面にねじ棒１６が突設されるとともに、底面１４の四隅には、裏側に図示しないナットを装着する等によりねじ孔１７が形成されていて、ねじ棒１６をねじ孔１７にねじ込むことで着脱可能に装着されるようになっている。  
冷蔵庫本体１０の上面には機械室１３が設けられて冷凍装置や電装箱等（図示せず）が装備され、冷凍装置により生成された冷気が冷蔵室１１内に循環供給されることで冷蔵室１１内が冷却保持され、断熱扉１２を開閉しつつ冷蔵室１１内に貯蔵物が出し入れされて収容されるようになっている。
【００１２】
冷蔵庫本体１０の底面１４には、送風装置２０が取り付けられている。この送風装置２０は大まかには、ケーシング３０内にクロスフローファン２１が収容された構造である。
ケーシング３０は金属板製であって、図２及び図３に示すように、冷蔵庫本体１０の奥行寸法に匹敵する程の長さを持った細長形状で、かつ上面開放の箱形に形成されている。ケーシング３０における長さ方向の両端面の上縁には、外側に直角曲げされた取付板３１が形成され、各取付板３１には、上記した脚１５のねじ棒１６を径方向に挿入可能な取付溝３２が、後縁側から切り込み形成されている。
【００１３】
ケーシング３０の底面には、図３及び図５に示すように、図３の右側における半分強の領域において、一段立ち上がった取付台３４が装着されており、この取付台３４における図３の左側の半分強の領域、ケーシング３０全体から見れば、長さ方向に３分割されたほぼ中央の領域に、クロスフローファン２１が設けられている。クロスフローファン２１は、外周面に複数枚の羽根を設けた軸線方向に細長い形状をなすファン本体２２を備え、このファン本体２２の両端部が取付台３４に立てられる支持板２３に回転自由に支持されて、一方の支持板２３に設けられたモータ２４と連結されている。また、ファン本体２２の後面（図３の上側）から上面にわたってカバー２５が設けられている。これによりクロスフローファン２１は、例えば下方から吸い込んだ空気を、これと直角をなす前方に向けて均一な平面流として吹き出すことができるようになっている。
【００１４】
取付台３４におけるクロスフローファン２１の配設位置の下方と、モータ２４の配設位置の下方とには、それぞれ窓孔３５，３６が開口されている。また、モータ２４のリード線２４Ａは、ケーシング３０の後面板を貫通して外部に引き出されている。  
ケーシング３０の下面には、図２に示すように、同図の右側の半分強の領域にわたって、図示４個の吸込口３７が並んで開口されている。一方、ケーシング３０の前面には、その上縁部におけるクロスフローファン２１の全長と対応した領域に、複数の小さな吹出口３８が並んで形成されている。
【００１５】
ここで、上記した吸込口３７の形成領域にわたって装着可能なエアフィルタ４０が設けられている。エアフィルタ４０は、図２に示すように、ステンレス鋼板等の金属板製の枠体４１内に、同じくステンレス鋼の金属メッシュ４２が張られた構造である。また、枠体４１の手前側の端縁には、立ち上がったのち前方に直角曲げされた断面鈎形をなす取手４３が全幅にわたって形成されている。  
一方、ケーシング３０の前面における下縁には、吸込口３７の形成領域にわたって、エアフィルタ４０を抜き差し可能な差込溝４５が形成されている。したがってエアフィルタ４０を差込溝４５に対して、取手４３がケーシング３０の前面に当たるまで差し込むと、エアフィルタ４０が全吸込口３７の上面を覆うことができるようになっている。
【００１６】
続いて、本実施形態の作用を説明する。まず、送風装置２０が、冷蔵庫本体１０の底面１４における正面から見た右側縁に沿って取り付けられる。それには、同底面１４の右側の前後に設けられた脚１５のねじ棒１６が緩められる。脚１５が緩められたら、送風装置２０が、吹出口３８を左側に向けた姿勢で冷蔵庫本体１０の底面１４に当てられ、取付板３１の取付溝３２が底面１４との隙間に臨んだねじ棒１６に対して径方向に挿通されつつ、右側に摺動される。両ねじ棒１６が対応する取付溝３２の奥端に当たるまで摺動されたところで、両脚１５を再び締め付けると、両取付板３１が挟み付けられることで、ケーシング３０すなわち送風装置２０が脚１５と併せて固定される。それとともに、ケーシング３０の差込溝４５にエアフィルタ４０が差し込まれる。
【００１７】
これにより、図６に示すように、冷蔵庫本体１０の底面１４の右側縁に沿って送風装置２０が装着される。なお、モータ２４から引き出されたリード線２４Ａは、例えば冷蔵庫本体１０の背面や側面に沿って立ち上がって配線され、機械室１３内に設けられた電装箱内の給電部と接続される。  
冷蔵庫の稼働中は、クロスフローファン２１のモータ２４には常時通電されて駆動される。クロスフローファン２１が駆動されると、図６の矢線に示すように、ケーシング３０の下面の吸込口３７から外気が吸引されてケーシング３０内に導入され、取付台３４の窓孔３５を通ったのちファン本体２２により同図の左側に向きを変えて、吹出口３８から吹き出される。それに続いて、冷蔵庫本体１０の底面１４に沿って左側縁に向けて流通する。  
冷蔵庫本体１０の底面１４は、冷蔵室１１内の冷気で冷却されるために、接触した外気により結露が生ずる可能性があるが、上記のように、底面１４に沿って空気が流れる場合、静止空気であるときと比べると湿度が低く抑えられ、それだけ結露がし難くなる。
【００１８】
なお、冷蔵庫の設置位置の床面Ｘには塵や埃が溜まりやすく、外気の吸い込み時に舞い上がって一緒に吸い込まれるおそれがある。しかしながら吸込領域は、吸込口３７に限られ、その吸込口３７にはエアフィルタ４０が装着されているから、エアフィルタ４０により塵や埃は捕捉されてクロスフローファン２１に入り込むことが防止される。また、吸い込んだ外気の一部をモータ２４を冷却することに利用しているが、その冷却空気も同様にエアフィルタ４０に通されたものであるから、同じく塵や埃がモータ２４に侵入することは回避される。
【００１９】
一方、エアフィルタ４０は適宜に清掃をする必要がある。その場合は、冷蔵庫本体１０の底面１４に手を入れ、取手４３を掴んでエアフィルタ４０を、図６の鎖線に示すようにケーシング３０から左側に向けて引っ張り出し、引き続いて手前側に抜き取る。水洗い等を行ったら、上記とは逆に、エアフィルタ４０を正面から冷蔵庫本体１０の底面１４側に入れ、ケーシング３０の差込溝４５から差し込んで装着する。  
この場合、送風装置２０の左側は、冷蔵庫本体１０の底面１４のほぼ全域に対応するほどの広いスペースが確保されているし、エアフィルタ４０の差込溝４５も、ケーシング３０において極力手前側に形成されているから、エアフィルタ４０の抜き差し操作も簡単に能率良く行うことができる。
【００２０】
以上のように本実施形態によれば、送風装置２０に装備されたクロスフローファン２１が駆動されると、ケーシング３０内に下面の吸込口３７から外気が吸い込まれたのち側面の吹出口３８から吹き出されて、冷蔵庫本体１０の底面１４に沿うように流通し、同底面１４に接触する空気の湿度を下げることで結露が生ずることが防止される。冷蔵庫本体１０の底面１４に送風装置２０を設けるのであるから、冷却貯蔵庫の嵩高を招くことなく本体底面１４に沿った空気流を得ることができる。
【００２１】
一方、冷蔵庫の設置位置の床面Ｘには塵や埃が溜まりやすく、外気の吸い込み時に舞い上がって一緒に吸い込まれるおそれがあるが、吸込領域は吸込口３７に限られ、しかもエアフィルタ４０が装備されているから、塵や埃は捕捉されてクロスフローファン２１に入り込むことが防止される。  
エアフィルタ４０は適宜に水洗い等の掃除をする必要があり、そのつどケーシング３０から抜き差しする必要があるが、エアフィルタ４０の引き出し方向であるケーシング３０の左側には、冷蔵庫本体１０の底面１４のほぼ全域に対応するほどの広いスペースが確保され、またエアフィルタ４０の差込溝４５も、ケーシング３０における比較的手前側に形成されているから、エアフィルタ４０の抜き差し操作も簡単に能率良く行うことができる。
【００２２】
＜実施形態２＞
次に、本発明の実施形態２を図７ないし図９によって説明する。  
この実施形態２では、冷蔵庫本体１０の底面１４に、除霜水を蒸発廃棄するための蒸発ユニット５０を装備した冷蔵庫を例示している。なお、上記実施形態１と同じ機能を有する部位については、適宜に同一符号を付して説明する。  
蒸発ユニット５０は、蒸発皿５１、収納ケース５５、送風装置２０Ａ及び吸込ダクト７０から構成されている。蒸発皿５１は、ステンレス鋼板等の金属板により平面長方形の浅皿状に形成されており、冷蔵庫本体１０の底面１４における奥行の半分強の奥行寸法と、同底面１４の幅の１／３程度の幅寸法を有している。蒸発皿５１の内底面には、コードヒータ等の蒸発ヒータ５２が、例えばジグザグ状をなしてほぼ全面にわたって配線されている。
【００２３】
収納ケース５５は、蒸発皿５１と同様の金属板製であって、上面が開口された平面長方形の箱形に形成されており、蒸発皿５１と比べると、高さ寸法が５倍程度、幅寸法が同程度、奥行寸法が所定量大きく形成されている。この収納ケース５５の底部の前端側に寄った位置に、上記した蒸発皿５１が収納され、例えば側面をねじ５６で止めて固定されている。収納ケース５５の左右の側面板５７の上縁には、取付板５８が外側に直角曲げされて形成され、冷蔵庫本体１０の底面１４にねじで止められるようになっている。
【００２４】
収納ケース５５内には、蒸発皿５１の奥端と背面板５９との間において収納空間６０（本発明のケーシングに相当）が設けられ、ここにクロスフローファン２１が収納されることで送風装置２０Ａが構成されている。クロスフローファン２１は、上記実施形態１と同様に、外周面に複数枚の羽根を設けた軸線方向に細長い形状をなすファン本体２２が、モータ２４により軸線回りの回転可能に組み付けられているとともに、ファン本体２２の後面（図７の右側）から上面にわたってカバー２５が設けられた構造となっている。これによりクロスフローファン２１は、下方から吸い込んだ空気を、これと直角をなす前方に向けて均一な平面流として吹き出すことができるようになっている。このクロスフローファン２１のカバー２５が、収納ケース５５の背面板５９にねじ６２で止められている。
【００２５】
一方、上記した収納空間６０の底板には、クロスフローファン２１の下面に対応する位置に、吸気用の窓孔６３が形成されており、カバー２５の下面側の開口と対応している。また、カバー２５の前面の開口が吹出口６５となって、上記した蒸発皿５１の上方の空間を指向している。また、収納ケース５５の左右の側面板５７には、その正面側の端部に寄った位置の上縁側に、前後２個ずつの排出開口６７が切り欠き形成されている。
【００２６】
収納ケース５５の外底面には、吸込ダクト７０が配設されている。この吸込ダクト７０は、同じく金属板によって、平面長方形をなす浅皿状に形成されており、図８に示すように、収納ケース５５と比べ、奥行寸法並びに幅寸法が所定量小さく形成されている。吸込ダクト７０の左右の側面板の上縁には、取付板７１が外側に直角曲げされて形成されているとともに、背面板７２は、他の周面板よりも若干背が高く形成されている。  
この吸込ダクト７０が、収納ケース５５の外底面における幅方向の中央部において、その背面板７２を収納ケース５５の背面板５９の下部の外側に重ねるようにして当てられ、取付板７１をねじ７１Ａで止めることによって固定される。これにより、吸込ダクト７０の奥側が、収納空間６０の底板に設けられた吸気用の窓孔６３を覆ってこれと連通する。また吸込ダクト７０の前面板７３が、収納ケース５５の前面から所定寸法奥に引っ込んで位置するようになっている。
【００２７】
吸込ダクト７０の底板における手前側の領域には、前後方向を向いた複数のスリットがほぼ全幅にわたって並んで形成されることにより、吸込口７５が形成されている。  
ここで、上記した吸込口７５の形成領域にわたって装着可能なエアフィルタ８０が設けられている。エアフィルタ８０は、ステンレス鋼板等の金属板製の枠体８１内に、同じくステンレス鋼の金属メッシュ８２が張られた構造である。また、枠体８１の手前側の端縁には、立ち上がったのち前方と下方に２度直角曲げされた断面門形をなす取手８３が全幅にわたって形成されている。  
一方、吸込ダクト７０の前面板７３における下縁には、エアフィルタ８０を抜き差し可能な差込溝８５が形成されている。したがってエアフィルタ８０を差込溝８５に対して、取手８３が吸込ダクト７０の前面板７３に当たるまで差し込むと、エアフィルタ８０が吸込口７５の上面を覆うことができるようになっている。また、このとき取手８３は、収納ケース５５の前面とほぼ面一に収まるようになっている。
【００２８】
蒸発ユニット５０は上記のように組み付けられ、冷蔵庫本体１０の底面１４の幅方向の中央部において、収納ケース５５の前面を冷蔵庫本体１０の前面に合わせて当てられ、収納ケース５５の取付板５８を複数箇所においてねじ止めすることによって取り付けられている。  
また図示はしないが、除霜運転時等に生成された除霜水は、例えば冷蔵庫本体１０の側壁や底壁にわたって設けられた排水路を通って蒸発皿５１内に流入されるようになっている。また、蒸発皿５１にはサーミスタが設けられ、検知温度が所定以上の場合は蒸発ヒータ５２への通電が遮断され、いわゆる空焚きが防止されるようになっている。
【００２９】
続いて、本実施形態の作用を説明する。  
除霜水が蒸発皿５１に流入して溜められると、蒸発ヒータ５２に通電されて加熱されることで除霜水が強制的に蒸発される。このとき併せてクロスフローファン２１が駆動されると、図７の矢線に示すように、吸込ダクト７０の手前側端部の下面の吸込口７５から外気が吸引されて、吸込ダクト７０内を奥側に向けて流れ、奥側から窓孔６３を通してクロスフローファン２１に向けて上方に導入されたのち、前方（同図左側）に向きを変えて、吹出口６５から蒸発皿５１の上方に吹き出される。吹き出された外気は、蒸発皿５１から立ち上っている蒸気を含みつつ、図９の矢線に示すように、収納ケース５５の左右の側面板５７の排出開口６７から、冷蔵庫本体１０の底面１４に沿うようにして左右に排出される。
【００３０】
この実施形態においても、冷蔵庫の設置位置の床面Ｘには塵や埃が溜まりやすく、外気の吸い込み時に舞い上がって一緒に吸い込まれるおそれがある。しかしながら吸込領域は吸込口７５に限られ、その吸込口７５にはエアフィルタ８０が装着されているから、エアフィルタ８０により塵や埃は捕捉されて、吸込ダクト７０やクロスフローファン２１に入り込むことが防止される。  
一方、エアフィルタ８０は適宜に清掃をする必要がある。その場合は、冷蔵庫本体１０の底面１４に手前側から手を入れ、取手８３を掴んでエアフィルタ８０を手前側に抜き取る。水洗い等を行ったら、上記とは逆に、エアフィルタ８０を吸込ダクト７０の前面板７３の差込溝８５から差し込んで装着すればよい。
【００３１】
冷蔵庫の底面に除霜水の蒸発皿を装備して、立ち上った蒸気を送風により外部に排出する場合、従来では正面側から外気を吸い込んだのち、蒸発皿を通って奥側に吹き出すようにしていたが、冷蔵庫は、背面を壁に当てて設置する場合が多いため、湿った空気が壁の前で淀み、壁等に結露するおそれがあった。  
その点この実施形態では、蒸気が冷蔵庫の正面側に排出されるようにしたから、湿った空気が背面側で淀むことがなくなり、壁等に結露することが防止される。特に蒸気は、正面側ではあっても、左右方向に向けて排出されるから、冷蔵庫の正面に立った作業者の足等に蒸気が吹き付けられることが避けられ、不快感を覚えることが避けられる。
【００３２】
外気は、吸込ダクト７０の手前側の下面に設けられた吸込口７５から吸い込まれるようになっており、一方、冷蔵庫の設置位置の床面Ｘには塵や埃が溜まりやすく、外気の吸い込み時に舞い上がって一緒に吸い込まれるおそれがあるが、吸込領域は吸込口７５に限られ、しかもエアフィルタ８０が装備されているから、塵や埃は捕捉されてクロスフローファン２１に入り込むことが防止される。  
エアフィルタ８０は適宜に水洗い等の掃除をする必要があり、吸込ダクト７０から抜き差しする必要があるが、エアフィルタ８０の引き出し方向は、広いスペースのある手前側に設定されているから、エアフィルタ８０の抜き差し操作も簡単に能率良く行うことができる。
【００３３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）送風ファンには、クロスフローファンを用いることに限らず、通常の軸方向に送風するファンとガイドとを絡めて、吸引した外気を９０度向きを変えて吹き出すことができるようにしてもよい。  
（２）実施形態１において、送風装置が冷蔵庫本体の底面の正面から見た左側縁に設けられ、同底面に沿って右向きに送風されるようにしてもよい。
【００３４】
（３）実施形態２において、蒸気を排出する向きは正面側のみであっても良く、また正面側と左右の側面側との両方であっても良く、そのようなものも本発明の技術的範囲に含まれる。  
（４）同実施形態２において、蒸発皿に貯留される排水は、庫内排水であってもよく、また除霜水と庫内排水の両方であってもよい。  
（５）同実施形態２において、蒸発皿と収納ケースとが一体形成され、これを本発明の蒸発皿と見なしてもよい。  
（６）本発明は上記実施形態に例示した冷蔵庫に限らず、冷蔵ショーケース、冷凍庫、急速凍結庫等、本体底面に結露するおそれのある冷却貯蔵庫全般に広く適用することができる。また同様に、貯蔵庫本体の底面に蒸発ユニットを装備した冷却貯蔵庫全般に広く適用することができる。
【図面の簡単な説明】
【００３５】
【図１】本発明の実施形態１に係る冷蔵庫の正面図
【図２】送風装置の取付部分の分解斜視図
【図３】送風装置の平面図
【図４】送風装置が取り付けられた冷蔵庫の底部の構造を示す斜視図
【図５】その一部切欠側面図
【図６】その一部切欠正面図
【図７】本発明の実施形態２に係る冷蔵庫の底部の構造を示す一部切欠側面図
【図８】その底面図
【図９】その一部切欠正面図
【符号の説明】
【００３６】
１０…冷蔵庫本体（貯蔵庫本体）  １４…底面  ２０，２０Ａ…送風装置  ２１…クロスフローファン（送風ファン）  ３０…ケーシング  ３７…吸込口  ３８…吹出口  ４０…エアフィルタ（フィルタ）  ４３…取手  ４５…差込溝  ５０…蒸発ユニット  ５１…蒸発皿  ５２…蒸発ヒータ  ５５…収納ケース  ６０…収納空間（ケーシング）  ６５…吹出口  ６７…排出開口  ７０…吸込ダクト  ７５…吸込口  ８０…エアフィルタ（フィルタ）  ８３…取手  ８５…差込溝  Ｘ…床面
【図１】
2006162191.tif 000003
【図２】
2006162191.tif 000004
【図３】
2006162191.tif 000005
【図４】
2006162191.tif 000006
【図５】
2006162191.tif 000007
【図６】
2006162191.tif 000008
【図７】
2006162191.tif 000009
【図８】
2006162191.tif 000010
【図９】
2006162191.tif 000011